(57)【要約】      （修正有）【課題】蓄光材が設けられる衣類の構成に応じて効率よく蓄光できるようにした畜光ボックスを提供する。【解決手段】蓄光材に光を照射して蓄光する蓄光ボックス１であって、蓄光材が設けられる衣類Ｃを収容可能な本体と、太陽電池１２と、太陽電池１２が発電した電気を蓄電する蓄電池１４と、蓄電池１４に蓄電された電気によって発光し、本体に収容された衣類Ｃの蓄光材に光を照射する光源ユニット１６とを有する。さらに、光源ユニット１６には磁石が設けられるとともに、本体の内面は磁石が吸着する構成であり、光源ユニット１６は、磁石によって本体の内面の任意の位置に着脱可能に取付けられる。【選択図】図２
0003180070.tif 000002
【実用新案登録請求の範囲】
【請求項１】
蓄光材に光を照射して蓄光する蓄光ボックスであって、
前記蓄光材が設けられる物品を収容可能な本体と、
太陽電池と、
前記太陽電池が発電した電気を蓄電する蓄電池と、
前記蓄電池に蓄電された電気によって発光し、前記本体に収容された前記物品の前記蓄光材に光を照射する光源ユニットと、
を有することを特徴とする蓄光ボックス。
【請求項２】
前記光源ユニットは、前記本体の内面の任意の位置に着脱可能に取付けられることを特徴とする請求項１に記載の蓄光ボックス。
【請求項３】
前記光源ユニットには磁石が設けられるとともに、前記本体の内面は前記磁石が吸着する構成であり、前記光源ユニットは、前記磁石によって、前記本体の内面の任意の位置に着脱可能に取付けられることを特徴とする請求項２に記載の蓄光ボックス。
【請求項４】
前記蓄光ボックス本体には、前記物品としての蓄光材が設けられた衣類を掛けるハンガーを吊り下げることができるフックが設けられることを特徴とする請求項１から３のいずれか１項に記載の蓄光ボックス。
【考案の詳細な説明】
【技術分野】
【０００１】
本考案は、蓄光材に光を照射して蓄光する機能を有する蓄光ボックスに関する。特に好適には、蓄光材が設けられる服や装具などを収納して蓄光する蓄光ボックスに関する。
【背景技術】
【０００２】
夜間や暗所における作業者等の被視認性の向上のために、蓄光材が設けられた作業服やチョッキなどが知られている。たとえば、特許文献１には、夜間発見率の向上を図るために蓄光材が設けられる装具が開示されている。また、特許文献２には、夜光性顔料が塗布された衣類が開示されている。
【０００３】
蓄光材が設けられた服や装具（以下、衣類と称する）を使用する際には、あらかじめ、蓄光材に紫外線などの所定の波長の光（本考案において、「光」とは、可視光以外の波長の電磁波を含むものとする）を照射して蓄光しておく必要がある。
また、蓄光材が仕様上の性能を発揮するためには、どのような光源が有効であるか、どの程度の時間にわたって光を照射する必要があるか、どの程度の時間にわたって発光が継続するか、などを、使用者等が把握している必要がある。しかしながら、実際には、使用者等は、これらを把握していないことがある。
さらに、蓄光材が設けられる位置や範囲は、衣類の種類などによって相違することがある。このため、効率よく蓄光するためには、衣類の種類などによって光を照射すべき位置や範囲が相違する。しかしながら、光源が固定された蓄光装置では、異なる種類の衣類に対応することが困難である。
【先行技術文献】
【特許文献】
【０００４】
【特許文献１】特開２０１１−４４２３５号公報
【特許文献２】実開平０７−０１２４１８号公報
【考案の概要】
【考案が解決しようとする課題】
【０００５】
上記実情に鑑み、本考案が解決しようとする課題は、蓄光材が設けられる衣類の構成に応じて効率よく蓄光できるようにすることである。
【課題を解決するための手段】
【０００６】
前記課題を解決するため、本考案は、蓄光材に光を照射して蓄光する蓄光ボックスであって、前記蓄光材が設けられる物品を収容可能な本体と、太陽電池と、前記太陽電池が発電した電気を蓄電する蓄電池と、前記蓄電池に蓄電された電気によって発光し、前記本体に収容された前記物品の前記蓄光材に光を照射する光源ユニットと、を有することを特徴とする。
【０００７】
前記光源ユニットは、前記本体の内面の任意の位置に着脱可能に取付けられることを特徴とする。
【０００８】
前記光源ユニットには磁石が設けられるとともに、前記本体の内面は前記磁石が吸着する構成であり、前記光源ユニットは、前記磁石によって、前記本体の内面の任意の位置に着脱可能に取付けられることを特徴とする。
【０００９】
前記蓄光ボックス本体には、前記物品としての蓄光材が設けられた衣類を掛けるハンガーを吊り下げることができるフックが設けられることを特徴とする。
【考案の効果】
【００１０】
本考案によれば、光源は蓄光ボックス本体の内壁面の任意の位置に着脱可能である。このため、使用者等は、光源と、作業着等に設けられる蓄光材に効率よく光を照射できる位置に取り付けることができる。したがって、簡単な作業によって、蓄光の効率の向上を図ることができる。
【図面の簡単な説明】
【００１１】
【図１】図１は、本考案の実施形態にかかる蓄光ボックスの構成を模式的に示す外観斜視図である。
【図２】図２は、蓄光ボックスの構成を模式的に示す断面図であり、（ａ）は図１のＡ−Ａ線断面矢視図、（ｂ）は図１のＢ−Ｂ線断面矢視図である。
【図３】図３は、蓄光ボックスに設けられる光源ユニットの構成を模式的に示す外観斜視図であり、（ａ）は蛍光灯の側から見た図、（ｂ）は磁石の側から見た図である。
【図４】図４は、光源ユニットの取り付け態様の他の例を模式的に示す断面図であり、図２に対応する図である。
【考案を実施するための形態】
【００１２】
以下に、本考案の実施形態について、図面を参照して詳細に説明する。図１は、本考案の実施形態にかかる蓄光ボックス１の構成を模式的に示す外観斜視図である。図２（ａ）は、蓄光ボックス１の構成を模式的に示す断面図であり、図１のＡ−Ａ線断面矢視図である。図２（ｂ）は、蓄光ボックス１の構成を模式的に示す断面図であり、図１のＢ−Ｂ線断面矢視図である。図３は、蓄光ボックス１に設けられる光源ユニット１６の構成を模式的に示す外観斜視図であり、（ａ）はブラックライト蛍光灯１６１の側から見た図、（ｂ）は磁石１６３の側から見た図である。
【００１３】
図１〜図３に示すように、本実施形態にかかる蓄光ボックス１は、蓄光ボックス本体１１と、太陽電池１２と、蓄電器１３と、蓄電池１４と、ＤＣ／ＡＣインバーター１５と、光源ユニット１６とを有する。
【００１４】
蓄光ボックス本体１１は、物品（蓄光材が設けられた衣類Ｃ）を収納可能な容器である。蓄光ボックス本体１１の内面は、天板１０３と側板１０２を含めて磁石１６３が吸着する。たとえば、蓄光ボックス本体１１は、磁石が吸着する鉄系の金属材料などによって形成される。また、鉄系の金属材料からなる板材などが、蓄光ボックス本体１１の内面に設けられる構成であってもよい。
蓄光ボックス本体１１の天板１０３には、ハンガーＨを掛けるためのフック１０６が取り付けられる。使用者等は、このフック１０６を使用することにより、蓄光材が設けられた衣類Ｃを、ハンガーＨに吊るした状態で蓄光ボックス本体１１の内部に収納することができる。なお、フック１０６は、ハンガーＨを掛けることができる構成であればよく、具体的な構成は限定されない。
このほか、蓄光ボックス本体１１の一側には、開閉可能な扉１０４が設けられる。また、蓄光ボックス本体１１の内部の下方には、仕切棚１０５が設けられる。なお、扉１０４と底板１０１と仕切棚１０５も、天板１０３と側板１０２と同様に、磁石が吸着するように構成される。
このように、蓄光ボックス本体１１の内面の任意の位置に、磁石を吸着させることができる。
【００１５】
蓄光ボックス本体１１の天板１０３の上面には、太陽電池１２が設けられる。太陽電池１２は、太陽光などによって直流電気を発電する。なお、太陽電池１２は、蓄光ボックス本体１１の側板１０２や扉１０４の外側に設けられる構成であってもよい。また、発電の効率の向上を図るため、太陽電池１２の向きが変更可能な構成であってもよい。
【００１６】
図２に示すように、蓄光ボックス本体１１の内部であって、仕切棚１０５と底板１０１の間の領域には、蓄電器１３と、蓄電池１４と、ＤＣ／ＡＣインバーター１５とが配設される。蓄電器１３は、太陽電池１２と蓄電池１４とに電線などによって電気的に接続される。そして蓄電器１３は、太陽電池１２が発電した直流電気を蓄電池１４に蓄電する。ＤＣ／ＡＣインバーター１５は、蓄電池１４と光源ユニット１６に、電線などによって電気的に接続される。そしてＤＣ／ＡＣインバーター１５は、蓄電池１４が出力する直流電気を交流電気に変換し、光源ユニット１６に出力する。
なお、太陽電池１２、蓄電器１３、ＤＣ／ＡＣインバーター１５には、従来公知の構成が適用できる。したがって、これらの構成の説明は省略する。また、蓄電器１３と蓄電池１４とＤＣ／ＡＣインバーター１５が配設される領域は、前記の領域に限定されない。
【００１７】
光源ユニット１６は、ＤＣ／ＡＣインバーター１５によって変換された交流電気によって発光し、蓄光ボックス本体１１に収納された衣類Ｃに紫外線を照射する。これにより、衣類Ｃに設けられる蓄光材に蓄光できる。
図３に示すように、光源ユニット１６は、ブラックライト蛍光灯１６１と、蛍光灯ホルダー１６２とを有する。ブラックライト蛍光灯１６１は、衣類Ｃに設けられる蓄光材に蓄光できるように、紫外線を発する。なお、ブラックライト蛍光灯１６１は、衣類Ｃに設けられる蓄光材に効率よく蓄光できる波長の光を発するものが選択される。すなわち、ブラックライト蛍光灯１６１は、衣類Ｃに設けられる蓄光材の特性に応じて適宜選択される。
また、ブラックライト蛍光灯１６１は、蛍光灯ホルダー１６２に着脱可能に取付けられる。蛍光灯ホルダー１６２には、磁石１６３が設けられる。前記のとおり、蓄光ボックス本体１１の内面の任意の位置に磁石１６３が吸着する。このため、使用者等は、蓄光ボックス本体１１の内面の任意の位置に、蛍光灯ホルダー１６２を着脱可能に取付けることができる。なお、ブラックライト蛍光灯１６１は、従来公知の各種ブラックライト蛍光灯が適用できる。そして、ブラックライト蛍光灯１６１は、使用する衣類Ｃに設けられる蓄光材の種類に応じて、適宜選択される。なお、ブラックライト蛍光灯１６１に限らず、公知の各種紫外線源が適用される構成であってもよい。また、本実施形態にかかる蛍光灯ホルダー１６２は、従来公知の各種蛍光灯ホルダー１６２の背面（ブラックライト蛍光灯１６１が取り付けられる側とは反対側）に、磁石１６３が固定されるという構成を有する。
【００１８】
なお、図２においては、２基の光源ユニット１６が設けられる構成を示すが、光源ユニット１６の数は限定されない。また、光源ユニット１６の数を増減可能な構成であってもよい。
このように、光源ユニット１６が太陽電池１２により発電された電気によって発光する構成であれば、停電時であっても、衣類Ｃに設けられる蓄光材に蓄光できる。また、本実施形態にかかる蓄光ボックス１は、外部からの電力の供給なくても動作するため、コンセントなどの電力供給設備が無い場所でも使用できる。
【００１９】
衣類Ｃなどに設けられる蓄光材は、衣類Ｃなどの種類によって蓄光材が設けられる位置が異なることがある。本実施形態にかかる蓄光ボックス１においては、光源ユニット１６は蓄光ボックス本体１１の内面の任意の位置に配置することができるため、衣類Ｃに設けられる蓄光材の位置などに応じて、光源ユニット１６の位置を変更することができる。たとえば、肩部分に蓄光材が設けられる衣類Ｃであれば、図２に示すように、光源ユニット１６を天板１０３に取り付ける。また、身頃の胸部分に蓄光材が設けられる衣類Ｃであれば、図４に示すように、光源ユニット１６を側板１０２に取り付ける。図４（ａ）（ｂ）は、光源ユニット１６の取り付け態様の他の例を示す断面図であり、それぞれ、図２（ａ）（ｂ）に対応する図である。このような構成によれば、蓄光材に対して効率よく紫外線を照射できる。したがって、蓄光材の位置や範囲が異なる衣類Ｃを収納する場合であっても、衣類Ｃに設けられる蓄光材の位置や範囲に応じて、効率よく蓄光することができる。
【００２０】
本考案の実施形態にかかる蓄光ボックス１は、蓄光材が設けられた衣類Ｃとセットで、使用者に販売や提供がなされることが好ましい。この場合、光源ユニット１６には、衣類Ｃに設けられた蓄光材に適したブラックライト蛍光灯１６１があらかじめ取り付けられている。このように、使用する衣類Ｃに応じて最適化された状態で使用者等に販売や提供がなされる。このため、使用者等は、蓄光材の蓄光に適した光源を把握してなくても、蓄光材が適切な性能を発揮する状態で使用することができる。すなわち、使用者等は、どのような光源が有効であるか、どの程度の時間にわたって光を照射する必要があるか、どの程度の時間にわたって発光が継続するかなどを把握していなくても、衣類Ｃに設けられる蓄光材に所定の性能を発揮させることができる。さらに、使用する衣類Ｃに応じて最適化された状態で使用者等に提供されるから、蓄光に要する手間を削減することができる。
【００２１】
以上、本考案の実施形態について、図面を参照して詳細に説明したが、本考案は前記実施形態に限定されるものではない。本考案は、その趣旨を逸脱しない範囲において種々の変更が可能であり、それらも本考案の技術的範囲に属する。
例えば、前記実施形態においては、光源ユニットを本体の内面に着脱自在に取付ける構成として、光源ユニットに磁石を設ける構成を示したが、本考案はこの構成に限定されない。磁石を用いる構成のほか、各種吸盤や各種面ファスナーなどを用いる構成が適用できる。
【産業上の利用可能性】
【００２２】
本考案は、蓄光材を蓄光する蓄光ボックスに有効な技術である。
【符号の説明】
【００２３】
１：蓄光ボックス
１１：蓄光ボックス本体
１０１：底板
１０２：側板
１０３：天板
１０４：扉
１０５：仕切棚
１０６：フック
１２：太陽電池
１３：蓄電器
１４：蓄電池
１５：ＤＣ／ＡＣインバーター
１６：光源ユニット
１６１：ブラックライト蛍光灯
１６２：蛍光灯ホルダー
１６３：磁石
【図１】
0003180070.tif 000003
【図２】
0003180070.tif 000004
【図３】
0003180070.tif 000005
【図４】
0003180070.tif 000006